【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
遮断素子に割り当てできる少なくとも１つの振動遮断装置を有する振動遮断システムを記録するための方法であって、振動遮断システムには１つの調節装置および／または制御装置が割り当てられており、以下のステップ、すなわち、
ａ）調節構造および／または制御構造を準備するステップと、
ｂ）振動遮断システムを振動させることによる、遮断システムと関係のある信号および／または変数を受け入れ、および処理するステップと、
ｃ）振動遮断システムを評価するために、制御構造と記録された変数に基づいて、少なくとも１つの、遮断システムに特徴的な基準指紋データセットを形成するステップと、
ｄ）実際の指紋データセットを記録し、および作成するステップと、
ｅ）基準指紋の少なくとも一部と実際指紋の少なくとも一部を比較するステップと、
ｆ）基準指紋と実際の指紋との特有のずれに基づく振動遮断システムの状態を評価するステップとを含む方法。
【請求項２】
調節構造および／または制御構造の構成を含むことを特徴とする請求項１に記載の方法。
【請求項３】
調節構造および／または制御構造における調節ループと調節の種類を含むことを特徴とする請求項１または請求項２に記載の方法。
【請求項４】
調節構造および／または制御構造でのフィードバック調節および／またはフォワード調節および／または適応調節からの選択を含むことを特徴とする前記請求項の何れか１項に記載の方法。
【請求項５】
調節構造および／または制御構造において加速一定、および／または速度一定および／または位置一定の調節ループの確定を含むことを特徴とする前記請求項の何れか１項に記載の方法。
【請求項６】
調節構造および制御構造の構成、および調節構造および／または制御構造における調節の変数と制御の変数の準備を含むことを特徴とする前記請求項の何れか１項に記載の方法。
【請求項７】
調節構造および／または制御構造におけるアクチュエータ特有の、およびセンサ特有の変数の定義を含むことを特徴とする前記請求項の何れか１項に記載の方法。
【請求項８】
調節ループの同調を含むことを特徴とする前記請求項の何れか１項に記載の方法。
【請求項９】
特に、変数および／または信号および／または遮断システムの特徴を示すデータセットによる振動遮断システムの調節および／または制御のステップを含むことを特徴とする前記請求項の何れか１項に記載の方法。
【請求項１０】
振動遮断システムと調節装置および／または制御装置との間のインタフェース、および外部の装置へのインタフェースの準備と適合を含むことを特徴とする前記請求項の何れか１項に記載の方法。
【請求項１１】
外部信号または内部信号を送るためのインタフェース、および／または取り出すためのインタフェースの準備を含むことを特徴とする前記請求項の何れか１項に記載の方法。
【請求項１２】
インタフェースの監視と制御を含むことを特徴とする前記請求項の何れか１項に記載の方法。
【請求項１３】
データセットの記録を含むことを特徴とする前記請求項の何れか１項に記載の方法。
【請求項１４】
調節構造および／または制御構造の試験を含むことを特徴とする前記請求項の何れか１項に記載の方法。
【請求項１５】
外部の励振信号および／または内部の励振信号の準備を含むことを特徴とする前記請求項の何れか１項に記載の方法。
【請求項１６】
励振信号準備の構成を含むことを特徴とする前記請求項の何れか１項に記載の方法。
【請求項１７】
方法ステップの監視を含むことを特徴とする前記請求項の何れか１項に記載の方法。
【請求項１８】
振動遮断特有の機能関係に関するデータの受け入れおよび／または決定を含むことを特徴とする前記請求項の何れか１項に記載の方法。
【請求項１９】
出力スペクトルに割り当てられたデータの受け入れおよび／または決定を含むことを特徴とする前記請求項の何れか１項に記載の方法。
【請求項２０】
伝送機能に割り当てられたデータの受け入れおよび／または決定を含むことを特徴とする前記請求項の何れか１項に記載の方法。
【請求項２１】
振動干渉機能に割り当てられたデータの受け入れおよび／または決定を含むことを特徴とする前記請求項の何れか１項に記載の方法。
【請求項２２】
振動・位相機能に割り当てられたデータの受け入れおよび／または決定を含むことを特徴とする前記請求項の何れか１項に記載の方法。
【請求項２３】
すべての設定された振動自由度に関するデータの受け入れおよび／または決定を含むことを特徴とする前記請求項の何れか１項に記載の方法。
【請求項２４】
振動公差帯域の生成を含むことを特徴とする前記請求項の何れか１項に記載の方法。
【請求項２５】
記録されたものと、現在のデータセットまたは指紋の比較を含むことを特徴とする前記請求項の何れか１項に記載の方法。
【請求項２６】
指紋データセットの動的な記録を含むことを特徴とする前記請求項の何れか１項に記載の方法。
【請求項２７】
振動遮断システムのシミュレートを含むことを特徴とする前記請求項の何れか１項に記載の方法。
【請求項２８】
シミュレーションには振動遮断システムの振動励振が含まれることを特徴とする前記請求項の何れか１項に記載の方法。
【請求項２９】
指紋またはデータセットの、誤りメッセージへの割り当てを含むことを特徴とする前記請求項の何れか１項に記載の方法。
【請求項３０】
振動遮断システムの診断を含むことを特徴とする前記請求項の何れか１項に記載の方法。
【請求項３１】
データセットおよび／または指紋の比較を含むことを特徴とする前記請求項の何れか１項に記載の方法。
【請求項３２】
変数および／またはデータおよび／または関係の視覚化を含むことを特徴とする前記請求項の何れか１項に記載の方法。
【請求項３３】
プログラムがコンピュータにおいて実行されるならば、請求項１−請求項３２の何れか１項に記載の方法を実行するためのプログラムコード・手段を有するコンピュータプログラム。
【請求項３４】
複数のプログラムモジュールを含むことを特徴とする請求項３３に記載のコンピュータプログラム。
【請求項３５】
振動遮断システムの調節および／または制御のためのコントローラ特有のプログラムモジュールを含むことを特徴とする請求項３３または請求項３４に記載のコンピュータプログラム。
【請求項３６】
コントローラモジュールが振動遮断システムに関する診断能力を含むことを特徴とする請求項３３−請求項３５の何れか１項に記載のコンピュータプログラム。
【請求項３７】
励振信号の生成と伝送のためのコントローラモジュールがコントローラに置かれることを特徴とする請求項３３−請求項３６の何れか１項に記載のコンピュータプログラム。
【請求項３８】
コントローラモジュールにコマンド方式インタフェースが含まれることを特徴とする請求項３３−請求項３７の何れか１項に記載のコンピュータプログラム。
【請求項３９】
特に、通信および／またはコントローラモジュールの制御および／またはコントローラの制御のためのユーザ関連の機能モジュールを含むことを特徴とする請求項３３−請求項３８の何れか１項に記載のコンピュータプログラム。
【請求項４０】
機能モジュールに、インストール、および／または視覚化および／または診断および／または調節ループ同調および／またはコントロール機能監視のためのプログラムツールが含まれることを特徴とする請求項３３−請求項３９の何れか１項に記載のコンピュータプログラム。
【請求項４１】
特に、請求項１−請求項３２の何れか１項に記載の方法を実行するために、および特に、請求項３３−請求項４０に記載のコンピュータプログラムを実行するための装置であって、それには、
・遮断素子を置ける振動遮断装置が含まれ、
・振動遮断装置には、振動遮断システムの運転のために置かれた１つまたは複数の構成要素、特にセンサおよび／またはアクチュエータが含まれ、それらの構成要素は、調節装置および／または制御装置と共に、少なくとも１つの、振動遮断システムに関して特徴的な指紋データセットを準備できるように同時に動作し、
・基準指紋の少なくとも一部と、実際指紋の少なくとも一部とを比較する手段と、
・基準指紋と実際の指紋との特有のずれに基づく振動遮断システムの状態を評価するための手段とを含む装置。
【請求項４２】
調節装置および／または制御装置がモジュールで構成されることを特徴とする請求項４１に記載の装置。
【請求項４３】
調節装置および／または制御装置に、コントローラユニットおよび／またはユーザ指向の機能ユニットが含まれることを特徴とする請求項４１または請求項４２に記載の装置。
【請求項４４】
機能ユニットに、インストール、および／または視覚化および／または診断および／または調節ループ同調および／またはコントロール機能監視のためのユニットが含まれることを特徴とする請求項４１−請求項４３の何れか１項に記載の装置。
【請求項４５】
前記請求項の何れか１項に記載の方法および／または装置および／またはコンピュータプログラムを特徴とする振動遮断システムを記録するためのシステム。